(57)【特許請求の範囲】
【請求項１】
運搬する人の背面上で相互に連結されかつ両肩域と腰域へ伸長する２つの閉鎖ストラップループ（１）、およびベビー支持ポーチを形成するために２側を有する下端部（４０）および上部の両方でストラップループ（１）へ連結される担持片（４１）から成り、
前記ストラップループ（１）と前記担持片（４１）の上部両側との間のファスナ手段（５０，５１）が完全に解放されて前記スラップループ（１）へ連結される下連結部材（２０，３０）の回りの前記担持片（４１）が完全に落下するベビー用運搬体において、
前記スラップループ（１）は、挿入ロック（１０，２１）、および前記担持片（４１）のストラップ状下端部（４０）の自由長を調節するための棒ロック（３０）を含む留め具（２０）によって前記担持片（４１）の下端部（４０）へ解放自在に連結され、
前記留め具（２０）は前記担持片（４１）の下端部（４０）の幅に対応する幅の底辺を持つ概ね三角形状に形成され、かつ
前記挿入ロック（１０，２１）は、前記ストラップループ（１）の、運搬する人の各肩域から前面上へ延びて腰域へ折り返す部分に対応する、折り返し部上にそれぞれ直接連結された２つの挿入舌部（１０）と、各挿入舌部（１０）を挿入するための、概ね三角形状に形成された前記留め具（２０）の上斜面から三角形の概ね底辺中心へ向う挿入方向を有する２つのスリーブ（２１）とにより形成され、
前記挿入舌部（１０）と前記スリーブ（２１）との係止により前記折り返し部が相互に接近すると共に前記担持片の下端部（４０）へ接近する、ことを特徴とするベビー用運搬体。
【請求項２】
前記挿入ロックの挿入舌部（１０）は前記スリーブ（２１）へ密接に挿入され、２つの挿入ロック（１０，２１）の挿入方向は概ね直角を形成し、かつ前記スリーブ（２１）は前記棒ロック（３０）の上フレーム部材（３３）に近接配置されていることを特徴とする、請求項１のベビー用運搬体。
【請求項３】
前記挿入舌部（１０）はラッチ舌部（１４）を有し、前記ラッチ舌部（１４）は、前記挿入舌部（１０）が前記スリーブ（２１）へ完全に挿入されると、前記スリーブの主壁の１つを貫通する開口部（２２）の縁部とばね作用により係合する構成になっていることを特徴とする、請求項１のベビー用運搬体。
【請求項４】
前記ラッチ舌部（１４）は前記スリーブ（２１）の開口部（２２）の壁の内側との相互作用によりラッチ舌部（１４）が開口部（２２）から突出するのを防止するリップ部（１６）を後方端部に有し、かつ前記ラッチ舌部（１４）は前記開口部（２２）の縁部と前記スリーブ（２１）の隣接外壁との間の接続部の回りに係合する、前記開口部（２２）に露出されるラッチ舌部（１４）の外側面（１４２）の後方縁部上にエッジ部（１４４）を有し、それにより前記挿入舌部（１０）が引っ張り力を受けるときに、ラッチ舌部（１４）がスリーブ（２１）の壁の内方位置へ移動するのを防止することを特徴とする、請求項３のベビー用運搬体。
【請求項５】
棒ロック（３０）およびそれに隣接する２つの挿入ロック（１０，２１）を有し、
前記棒ロック（３０）は概ね水平の上下フレーム部材（３３，３１）、２つの相互に平行かつ概ね垂直の側フレーム部材（３４）、およびそれぞれの側フレーム部材上に上下移動のために制限された状態で連結された端部を有する棒（３２）から成り、
前記挿入ロックは、２つの挿入舌部（１０）と、主壁の１つの壁面内に貫通孔（２２）を有しかつ前記挿入舌部をそれぞれ受ける２つのスリーブ（２１）を含み、
各前記スリーブは前記上フレーム部材（３３）の上に形成され、かつ各前記スリーブへの各前記挿入舌部（１０）の挿入方向は前記棒ロック（３０）の水平の上フレーム部材（３３）の長手中心領域へ向かって所定角度を形成し、
各前記挿入舌部（１０）は、ブリッジ（１５）を介して挿入舌部（１０）の前部（１１）へ連結され、挿入舌部（１０）の中央部分で上方を向き、かつ前記挿入舌部（１０）の前記スリーブ（２１）への挿入により前記貫通孔（２２）に係止可能なラッチ舌部（１４）を有し、
それにより前記挿入舌部（１０）と前記スリーブ（２１）が着脱自在の挿入ロックを形成する、ことを特徴とする、留め具。
【請求項６】
留め具（２０）は２つの前記スリーブ（２１）の中間で前記棒ロック（３０）の棒（３２）に対して垂直に延在する中心線に対称の対称面を有し、２つの前記対称面は概ねフラットであることを特徴とする、請求項５の留め具。
【請求項７】
２つの前記対称面は相互に対して約２０°の角度で交差し、前記スリーブ（２１）の貫通孔（２２）は前記留め具（２０）の凸側上に位置することを特徴とする、請求項６の留め具。
【請求項８】
前記ラッチ舌部（１４）は、前記スリーブ（２１）への挿入時に前記挿入舌部（１０）の２つの外壁面の概ね内方に位置する位置から前記ラッチ舌部（１４）が無負荷状態で前記挿入舌部（１０）の平面から斜めに突出する位置へ移動し、前記挿入舌部（１０）を前記スリーブ（２１）から引っ張ることによりラッチ舌部（１４）の後方縁部が前記スリーブの貫通孔（２２）を通ってスリーブ（２１）の貫通孔（２２）の隣接縁部と係合することを特徴とする、請求項６または７の留め具。
【請求項９】
前記ラッチ舌部（１４）は前記スリーブ（２１）の貫通孔（２２）の壁の内側との相互作用によりラッチ舌部（１４）が開口部（２２）から突出するのを防止するリップ部（１６）を後方端部に有し、かつ前記ラッチ舌部（１４）は前記貫通孔（２２）の縁部と前記スリーブ（２１）の隣接外壁との間の接続部の回りに係合する、前記貫通孔（２２）に露出されるラッチ舌部（１４）の外側面（１４２）の後方縁部上に突起（１４４）を有し、それにより前記挿入舌部（１０）が引っ張り力を受けるときに、ラッチ舌部（１４）がスリーブ（２１）の壁の内方位置へ移動するのを防止することを特徴とする、請求項５の留め具。
【発明の詳細な説明】
【０００１】
【発明の属する技術分野】
本発明は運搬する人の背面上で相互に連結されかつ両肩域の回りに伸長する２つの閉鎖ストラップループ、およびベビー支持ポーチを形成するために２側を有する下端部および上部の両方でストラップループへ連結される担持片から成り、前記ストラップループと前記担持片の上部両側との間のファスナ手段が完全に解放されて前記ストラップループへ連結された下連結部材の回りの前記担持片が完全に落下するタイプのベビーまたは幼児用運搬ハーネス、即ち、運搬体、および棒ロックおよびそれに隣接する２つの挿入ロックから成り、前記棒ロックが概ね水平の上下フレーム部材、および２つの相互に平行かつ概ね垂直の側フレーム部材、およびそれぞれの側フレーム部材上の上下移動を制限する状態で連結された端部を有する棒から成るタイプの留め具に関する。
【０００２】
【従来の技術】
本出願人のＷＯ−９２／１２６５６は運搬する人の背面上で相互に連結されかつベビー運搬体の前側上に担持ポーチを形成する担持片上の上下取付け点へ運搬人の前側で着脱自在に取付けられる２つの閉鎖ストラップ状端部を含むベビー運搬体を開示している。この担持片は２つの長手方向に間隔をおいた下取付け点を有していて、担持ポーチの２つの所定深さへの調節を可能にする。
【０００３】
この公報に開示された連結部は１部へ連結された金属リングの形態を採り、かつダッフルファスナが固定ストラップを介して他端部へ連結される。固定ストラップは２つの相互に共働するプレスボタン結合部材を有する。この種の結合手段は個別構成要素に費用がかかり、かつベビー運搬体へこの構成要素を固定する費用がかかるために高価になる。更に、この担持ポーチは２つの異なる深さに調節できるのみである。更に、この結合手段（リングおよびダッフルファスナ）が運搬する人の胸を挟みかつ締めつける傾向があるために不快感を与える。
【０００４】
【発明が解決しようとする課題】
従って、本発明の課題はこの種のベビー用運搬体において、担持片の下部とストラップループとの間に位置決めされるファスナ装置、およびスラップループが比較的安く、担持片の深さを連続的に調節でき、かつ挟持または圧搾による不快感を減少させる構成の留め具を提供することにある。
【０００５】
【課題を解決するための手段】
上記課題を解決するために、本発明は、運搬する人の背面上で相互に連結されかつ両肩域の回りに伸長する２つの閉鎖ストラップループ、およびベビー支持ポーチを形成するために２側を有する下端部および上部の両方でストラップループへ連結される担持片から成り、前記ストラップループと前記担持片の上部両側との間のファスナ手段が完全に解放されて前記ストラップループへ連結された下連結部材の回りの前記担持片が完全に落下するベビー用運搬体において、前記ストラップループは各ストラップループの挿入ロック、および前記担持片のストラップ状下端部の自由長を調節するための棒ロックを含む留め具によって前記担持片の下端部へ解放自在に連結されることを特徴とする。
【０００６】
前記挿入ロックは挿入舌部と前記挿入舌部を受けるための留め具のスリーブから成り、前記挿入舌部は前記留め具のスリーブへ密接に挿入され、前記２つの挿入ロックの挿入方向は概ね直角を形成し、かつ前記スリーブは前記棒ロックの上フレーム部材に近接配置されていることを特徴とする。
前記挿入舌部はラッチ舌部を有し、前記ラッチ舌部は、前記挿入舌部が前記スリーブへ完全に挿入されると、前記スリーブの主壁１つを貫通する開口部の縁部とばね作用により係合する構成になっている。
【０００７】
前記ラッチ舌部は、後方端部に、前記スリーブの開口部の壁の内側との相互作用によりラッチ舌部が開口部から突出するのを防止するリップ部を有し、かつ前記ラッチ舌部は前記開口部の縁部と前記スリーブの隣接外壁との間の接続部の回りに係合する前記開口部に露出されるラッチ舌部の外側面の後方縁部上にエッジ部を有し、それにより前記挿入舌部が引っ張り力を受けるときに、ラッチ舌部がスリーブの壁の内方位置へ移動するのを防止することを特徴とする。
【０００８】
本発明は、更に、棒ロックおよびそれに隣接する２つの挿入ロックから成り、前記棒ロックは概ね水平の上下フレーム部材、および２つの相互に平行かつ概ね垂直の側フレーム部材、およびそれぞれの側フレーム部材上の上下移動のために制限された状態で連結された端部を有する棒から成る留め具において、前記挿入ロックは挿入舌部、およびその主壁の１つの壁面内に貫通孔を有しかつ前記挿入舌部を受けるスリーブを含み、前記スリーブは前記２つの概ね水平のフレーム部材上に形成され、かつ前記スリーブの挿入方向は前記棒ロックの前記水平上フレーム部材の長手中心領域へ向かっていることを特徴とする留め具を提供する。
【０００９】
前記留め具は前記２つのスリーブの中間で前記棒ロックの棒に対して垂直の中心線に対称の対称面を有し、前記２つの対称面は概ねフラットであることを特徴とする。
前記２つの対称面は相互に対して約２０°の角度で交差し、前記スリーブの貫通孔は本留め具の凸側上に位置することを特徴とする。
【００１０】
前記各挿入舌部はその中央部上に上方を向いたラッチ舌部を有し、前記ラッチ舌部はブリッジを介して前記挿入舌部の前部へ連結されていて、それにより前記ラッチ舌部は、前記挿入舌部の中心部を貫通する貫通孔を通って前記ラッチ舌部が前記挿入舌部の２つの外壁面の概ね内方に位置する位置から、前記ラッチ舌部が無負荷状態で前記挿入舌部の平面から斜めに突出する位置へ移動し、それによりラッチ舌部の後方縁部がスリーブの貫通孔の隣接縁部と係合し、他方挿入舌部をスリーブから引き抜くことができる。
【００１１】
前記ラッチ舌部は貫通孔を含む前記スリーブの内壁面と相互作用するリップ部を有し、それによりラッチ舌部の貫通孔から外方への移動を防止することを特徴とする。
前記ラッチ舌部の後方縁部は、前記貫通孔に露出されたラッチ舌部面の近傍に、前記貫通孔の縁部と前記スリーブの隣接外壁面との間の接続部の回りに係合する突起を有し、それにより挿入舌部をスリーブから引き抜こうとする力を挿入舌部が受けるときに、ラッチ舌部がスリーブ内へ移動するのを防止することを特徴とする。
【００１２】
本発明の留め具のスリーブは、閉鎖ストラップループへ連結するために、棒ロックの上側に相互に対して外側へ向かって上方斜めに傾斜しているのが好ましい。
各ストラップループとそれぞれに隣接する担持片の上側縁領域との間には、例えば、ＷＯ９２／１２６５６に記載のタイプの着脱自在の連結部材が取付けられている。
【００１３】
本発明の留め具の好適態様において、挿入ロックは挿入方向から見て前方に丸いフラットな挿入舌部として形成され、そのラッチ舌部は挿入方向から見て前方で留め具のスリーブの中央に形成された貫通孔へ単独で連結でき、かつラッチ舌部は挿入ロックの平面に対して僅かに傾斜している。
挿入舌部を挿入するためのスリーブは主壁の１方壁内にラッチ舌部が露出される貫通孔を有し、ラッチ舌部はばね作用によりその孔から飛び出し、それによりその自由縁部は隣接するその孔の壁の縁部と整列し、それにより挿入舌部の主壁面が手の指等によって内方へ押されるまでラッチ舌部の収縮または引き抜きは防止できる。本発明によれば、挿入ロックは、貫通孔からの挿入舌部の揺動を防止できる係止リップをラッチ舌部に設け、それにより貫通孔の壁縁部の内側へ接触させるように構成することにより更に開発できる。ラッチ舌部の後縁部はそのラッチ舌部における孔内に露呈される面上にショルダを有し、このショルダは挿入舌部が引っ張り負荷を受けると、スリーブの貫通孔の内外縁部上を挟持するフランジまたはショルダによってラッチ舌部と施錠するようにスリーブの外開放縁部上に係止する。
【００１４】
本発明の留め具はプラスチックにより射出成形されるのが好ましく、挿入ロックは相互に対して概ね直角を成しかつ留め具の対称面に対して４５°角にするのが好ましい。更に、本発明の挿入ロックは可能な限り棒ロックに接近して形成されるのが好ましい。
本発明の挿入ロックは概ね平坦面に形成され、留め具の２つの対称分割部は留め具の対称面の交差軸から２０°の角度を以て相互から間隔を置いているのが好ましい。この角度を付けた挿入ロック形態に対応して棒ロックの形状は全体的に丸みを付けた形状に変化させてよく、それに追随して平行水平フレーム部材間の水平棒は弓状通路を形成してよい。
【００１５】
【発明の作用および効果】
本発明による留め具の設計により、本発明の概ね矩形の留め具は運搬する人の胸部上の中央、肋骨組織および胸骨の直下へ取付けることができ、かつその領域にフイットする点で便利である。胸郭を締めつけることによる不快感は留め具を薄くかつ均一厚にし、かつ運搬体を装着するときに運搬人に近い側を僅かに凸弧曲面に形成することにより減少できる。この設計の留め具は胸骨および肋骨領域から下内側中心に向かって自然に傾斜した腹部を有する運搬人に首尾よく適合する。
【００１６】
本発明の留め具は、上述の構成により、基本的に３つの錠、即ち、２つのスナップ式挿入ロック、およびベビー担体のストラップ状下端部の長さ調節自在の連結を可能にする所謂棒ロックを有し、特にコンパクト設計を可能にすると同時にスナップ式挿入ロックは不本意な解錠を防止する一方で所望により容易な解錠を可能にする。
【００１７】
本発明の挿入ロックの構成は優れて高い安全性を有する。ベビー運搬体の全体的構成は、挿入ロックの不本意な解放によりベビーを床等へ落下させるベビー用運搬体の危険の１つを防止する。これは、そのようなときに挿入ロックと連動する閉鎖ストラップループが運搬人の肩領域上にしっかりと引き上げられ、それにより他方の閉鎖ストラップループがベビーの重量により運搬人の他方の肩領域から摺動する傾向があることによる。
【００１８】
本発明の棒タイプのロックは担持ポーチのストラップ状下端部の所望長までの連続的調節を可能にし、それにより担持ポーチの有効深さの連続的調節を可能にする。担持片のストラップ状下端部の棒ロックからの解放の危険を防止するために、ストラップ状端部は留め具の本体、特に棒ロックの中間棒と平行に設けられた概ね水平の下フレーム部材へ連結されている。
【００１９】
【発明の実施の形態】
図１のベビー用運搬体はファスナ手段２により運搬する人の背中上で連結される２つの閉鎖ストラップループ１を含む。この図示例において、ストラップループ１は８の字状に捩じってストラップループの交差点でファスナ手段２により連結された単一ストラップループにより形成されてよい。
【００２０】
各ストラップループ１は汎用調整バックル３を有し、ストラップループの端部４は、ストラップループの両端部を引っ張ってストラップループ１の寸法を収縮できるように運搬する人の腰領域から前後方向へ伸長する。
各ストラップループ１は留め具２０へ着脱自在に取付けるための挿入舌部１０を有し、留め具２０は運搬する人の前面上で胸骨または肋骨の骨組織の直下の腹部壁に当接するように構成されている。概ね三角形の留め具２０は挿入舌部１０を受けるためのスリーブ２１を有する。留め具２０の下部上に棒ロック３０が設けられており、棒ロック３０は担持片４１の「下」ストラップ状端部４０の長手の長さ調整を可能にする。担持片４１は他方の端部の両側上に運搬する人の前面上でストラップループ１の上胸域にファスナ手段５１へそれぞれ着脱自在に連結できる対応するファスナ手段５０を担持し、それにより図５に概略図示されたような担体ポーチを形成する。ストラップ状端部４０は水平の上フレーム部材３３と水平の棒３２との間で棒ロック３０内に形成された上開口部または上孔から内外へ伸長し、かつそこから棒３２と下フレーム部材３１との間に形成された開口部または孔から内外へ伸長する。図５を参照すれば、担持片４１により形成される支持ポーチ上のベビーの重量によって担持片４１のストラップ状端部４０が棒ロック３０と係止することが理解できるであろう。同様に、支持ポーチ４２の有効深さは棒ロック３０から支持ポーチの自由端部４２の長さを調整することによ簡単に調整できる。ストラップ状端部４０の内側上にはその長手方向へ伸長するストラップ４４が設けられている。ストラップ４４の下端部はストラップ状端部４０の自由端部４２へ結合され、かつその他端部はストラップ状端部４０の両端部へ結合されている。スラップ４４およびストラップ状端部４０は棒ロックの下フレーム部材３１を囲繞するループを形成し、それにより棒ロック３０からストラップ状端部４０が離脱するのを防止する。スラップ４４の両端部はストラップ状端部４０へ縫合するのが好ましく、スラップ４４およびストラップ状端部４０はそれぞれの結合点間で概ね同一長を有する。スラップ４４はストラップ状端部４０上の中央に設置されるのが好ましく、かつストラップ状端部４０よりも狭幅であってよい。
【００２１】
図２および３を参照すれば、スリーブ２１が棒ロック３０の上フレーム部材３３にできる限り密接に接近して形成されることが理解されるであろう。各挿入舌部１０の前端部は連結スリーブ２１へ挿入される。それぞれの挿入舌部の後部はループ受け孔１２および縫合したグリッド１３を有する。その後にループ受け孔１２の各側部上のストラップループ部をグリッド１３を中心に相互に対してフラットにし、次にそのストラップループ部とグリッド１３とを縫合する。グリッド１３は保持縫目の方向を横切って舌部挿入方向へ延在する内部平行ポストを有するフレームの形態を採るので、縫合中に  縫針を損傷することなくループ部へ挿入舌部１０を確実に固定する。グリッド１３のポストは非常に狭く、例えば、１ｍｍであって例えば、４ｍｍの間隔を置き、かつ例えば、約１ｃｍの長さを有し、それにより縫針を位置決めする精度の必要性を小さくする。挿入舌部１０はブリッジ１５により挿入舌部１０の前部１１へ結合されたラッチ舌部１４を中心に有し、他方、ラッチ舌部１４の残部は挿入舌部１０から自由であり、それにより挿入舌部１０により形成される平面からのブリッジ１５を中心としたラッチ舌部１４の揺動を可能にする。
【００２２】
図３から理解されるように、ラッチ舌部１４は挿入舌部１０の平面から外方に角度を付けた通常位置を有する。スリーブ２１はラッチ舌部１４よりも僅かに大きい開口部２２を有する露出側に形成されており、そのようにしてラッチ舌部１４は開口部２２から飛び出す。
ラッチ舌部１４は、挿入舌部１０がスリーブ２１へ挿入されかつラッチ舌部１４が開口部２２の縁部へ係止されるときに、ラッチ舌部１４の背面１４１と結合しかつ開口部２２の縁部の背後へ突出する薄いリップ部１６を有する。ラッチ舌部１４の縁領域１４３はブリッジ１５と直径方向で対峙し、かつラッチ舌部１４の外側１４２は開口部２２の縁部を通過しかつ開口部２２の外縁面２４に位置決めされる楔形エッジ部１４４を有する。挿入舌部１０がその長手方向に引っ張る力を受ける時に、開口部２２の縁部は縁領域１４３とリップ部１６との間に受けられ、それと同時に、挿入舌部１０はスリーブ２１の相互に対峙する主壁面間へ案内される。これにより強い引っ張り力を受ける場合であってもラッチ舌部１４の開口部２２からのスリーブ２１への出入りを防止する。
【００２３】
開口部２２は運搬人がラッチ舌部１４を指で作動できる大きさであり、そのようにして、挿入舌部１０は弾性により開口部２２が形成されたスリーブ２１壁の内面の内側へ圧入され、かつその後に挿入舌部１０を簡単に元へ戻すことができる。
フレーム部材３１，３３に加えて、棒ロック３０は、通常、棒３２の両端部と係合して棒の目を形状してガイドを形成する側フレーム部３４を含む。
【００２４】
図２に示された留め具２０は概ねフラットな形状をしており、図２の平面とその図に示された留め具２０の対称面との間で交差する線を形成する軸を中心に僅かに角度を付けているのが好ましく、例えば、２つの対称分割部間の角度αは約１６０°である。
本発明の１態様において、棒ロック３０は約１０ｃｍの幅を有し、かつ挿入舌部１０を挿入する留め具２０の上部の挿入ロックは概ね三角形であり、２つの小さい方の側部は棒ロック３０の上フレーム部材３３に対して約４５°の角度を形成する。留め具２０の凹側部は運搬人の腹の上部、肋骨組織または胸骨の直下位置になることが企図されており、それにより留め具２０は運搬人の上体および腹部の形態が胸骨レベルから下方向に細くなる、例えば、小さい女性または細い女性、特にウエストラインの細い女性等の運搬人にも快適である。
【００２５】
図１は留め具２０のそれぞれのスリーブ２１から分離した挿入舌部１０を示し、スリーブ２１が概ね上方へそして棒ロック３０が下方へ回転しているベビー用運搬体を示し、担持片４１はストラップループ１上のファスナ手段５１から解放されるファスナ手段５０により棒ロック３０から垂れ下がった状態で示されている。
【００２６】
留め具２０の重要な特徴は挿入舌部１０を確実に連結する、即ち、ストラップループ１を運搬人の胸の上で閉鎖して、ベビーをよりしっかりと保持できる構成になっていることである。他の特徴はラッチ舌部１４が信頼性をもって挿入離脱を容易にすることである。棒ロック３０はポーチの寸法調整を可能にし、そのベルトは留め具２０へのストラップ状端部４０の積極的取付けを確実にする。
【図面の簡単な説明】
【図１】本発明によるベビー用運搬体の正面図を示す。
【図２】図１の運搬体に使用する留め具の正面線図である。
【図３】図２のＩＩＩ  −ＩＩＩ線に沿った概略断面図である。
【図４】図２の留め具の上面線図である。
【図５】装着時のベビー用運搬体とその留め具を対称面から見た側断面図である。
【符号の説明】
１…ストラップループ
１０…挿入舌部
１２…ループ受け孔
１３…グリッド
１４…ラッチ舌部
１５…ブリッジ
１６…リップ部
２１…スリーブ
２２…貫通孔（開口部）
３０…棒ロック
３１…下フレーム部材
３２…棒
３３…上フレーム部材
３４…側フレーム
４１…担持片
５０，５１…ファスナ手段
１４４…エッジ部または突起
【図１】
0003958386.tif 000002
【図２】
0003958386.tif 000003
【図３】
0003958386.tif 000004
【図４】
0003958386.tif 000005
【図５】
0003958386.tif 000006